(57)【特許請求の範囲】
【請求項１】
無電極放電灯と、前記無電極放電灯の外周上に配置された誘導コイルと、前記誘導コイルを保持するための誘導コイル用ボビンと、前記誘導コイル用ボビンを支持するための導電性の支柱と、前記誘導コイルに接続され高周波電力を誘導コイルに供給する高周波電源回路と、前記誘導コイルと前記高周波電源回路とを接続する複数のリード線を有するリード部とを備える無電極放電灯点灯装置において、前記誘導コイルのリード部を前記無電極放電灯の外周上において前記支柱から最も離れた位置に設けたことを特徴とする無電極放電灯点灯装置。
【請求項２】
前記誘導コイルの複数のリード線を互いに近接して配置したことを特徴とする請求項１記載の無電極放電灯点灯装置。
【請求項３】
前記支柱を複数有し、前記誘導コイルの複数のリード線を各々互いに前記無電極放電灯の外周上において前記支柱から最も離れた位置で、且つ各々のリード線が互いに最も離れた位置関係となるように配置したことを特徴とする請求項１記載の無電極放電灯点灯装置。
【請求項４】
前記誘導コイルのリード部を前記無電極放電灯に近接配置したことを特徴とする請求項１又は請求項２記載の無電極放電灯点灯装置。
【請求項５】
前記誘導コイル用ボビンを金属製にすることを特徴とする請求項１記載の無電極放電灯点灯装置。
【請求項６】
前記誘導コイル用ボビンを不連続部分を有する略環状構造としたことを特徴とする請求項５記載の無電極放電灯点灯装置。
【請求項７】
複数個に分離された前記誘導コイル用ボビンを有し、分離された一つの前記誘導コイル用ボビンに少なくとも一本の前記支柱を有することを特徴とする請求項１記載の無電極放電灯点灯装置。
【請求項８】
前記支柱を固定するためのベース部を設けたことを特徴とする請求項１記載の無電極放電灯点灯装置。
【発明の詳細な説明】
【０００１】
【発明の属する技術分野】
本発明は、高周波電源回路からの高周波電力を誘導コイルに供給することによって発生する高周波電磁界を利用して発光させる無電極放電灯点灯装置に関するものである。
【０００２】
【従来の技術】
無電極放電灯の照明器具は、無電極放電灯の周囲に設けられた誘導コイルに高周波電流を流すことにより、高周波電磁界を生じさせ、無電極放電灯を点灯させるものである。
【０００３】
従来技術（例として、特開平１０−１０６５０４）を図６により説明する。
無電極放電灯点灯装置１００は、無電極放電灯２００、誘導コイル３００、誘導コイル形状保持手段４００、リード部５００及び支柱６００より構成されている。
【０００４】
無電極放電灯２００は、透光性材料等により成るガラスバルブ内に放電ガスを封入して設けられている。誘導コイル３００は、前記無電極放電灯２００の周囲近傍に巻き回して設けられている。誘導コイル形状保持手段４００は、前記無電極放電灯２００と前記誘導コイル３００の間に設けられ、前記誘導コイル３００の形状を保持するために誘導コイルを沿わせる螺旋状の保持溝４１０を有している。リード部５００は、前記誘導コイル３００と図示しない高周波電源回路とを接続するために設けられている。
【０００５】
このような無電極放電灯点灯装置１００において、図示しない交流主電源より電流が供給されると、高周波電流がリード部５００を通して誘導コイル３００に出力され、誘導コイル３００により発生した高周波電磁界が無電極放電灯２００に印加されることで、放電ガスを励起発光させ、ランプが点灯する。
【０００６】
【発明が解決しようとする課題】
しかし、上記の従来技術において、誘導コイル３００をコイル形状保持手段４００（以下、誘導コイル用ボビン４００と呼ぶ）でのみ保持させているため、無電極放電灯２００が大きくなり誘導コイル用ボビン４００の重量が増大すると、誘導コイル用ボビン４００を保持するための手段が必要になってくる。この誘導コイル用ボビン４００を保持するために支柱６００を設ける。
【０００７】
図６で示した従来の技術に誘導コイル用ボビン４００を支持するための支柱６００を付加した場合の無電極放電灯点灯装置１００の構成の一例を図７に示す。支柱６００が金属製である場合、リード部５００と支柱６００とが近接してしまうと、両者の間に容量結合が生じマッチングがずれてしまうので、無電極放電灯の点灯動作に遅延が生じるという問題が発生する。
【０００８】
また、無電極放電灯２００内部の放電ガスを励起発光させるために誘導コイル３００から高周波電磁界を発生する。この時、誘導コイル用ボビン４００が環状で且つ金属製である場合、誘導コイル用ボビン４００の環状部分にも高周波電流が流れ、誘導コイル３００に発生した高周波電磁界を打ち消してしまうので、同じく無電極放電灯の点灯動作に遅延が生じるという問題が発生する。
【０００９】
従って、本発明の目的とするところは、無電極放電灯の点灯動作のスムーズな始動や安定性を実現する無電極放電灯点灯装置を提供することである。
【００１０】
【課題を解決するための手段】
本発明は前記目的を達成するために、請求項１記載の発明にあっては、無電極放電灯と、前記無電極放電灯の外周上に配置された誘導コイルと、前記誘導コイルを保持するための誘導コイル用ボビンと、前記誘導コイル用ボビンを支持するための導電性の支柱と、前記誘導コイルに接続され高周波電力を誘導コイルに供給する高周波電源回路と、前記誘導コイルと前記高周波電源回路とを接続するリード部とを備える無電極放電灯点灯装置において、前記誘導コイルのリード部を前記無電極放電灯の外周上において前記支柱から最も離れた位置に設けている。
【００１１】
請求項２記載の発明にあっては、請求項１記載の発明において、前記誘導コイルの複数のリード部を互いに近接して配置している。
【００１２】
請求項３記載の発明にあっては、請求項１記載の発明において、前記支柱を複数有し、前記誘導コイルの複数のリード部を各々互いに前記無電極放電灯の外周上において前記支柱から最も離れた位置で、且つ各々のリード部が互いに最も離れた位置関係となるように配置している。
【００１３】
請求項４記載の発明にあっては、請求項１又は請求項２記載の発明において、前記誘導コイルのリード部を前記無電極放電灯に近接配置している。
【００１４】
請求項５記載の発明にあっては、請求項１記載の発明において、前記誘導コイル用ボビンが導電性を有している。
【００１５】
請求項６記載の発明にあっては、請求項１記載の発明において、前記誘導コイル用ボビンを不連続部分を有する略環状構造としている。
【００１６】
請求項７記載の発明にあっては、請求項１記載の発明において、複数個に分離された前記誘導コイル用ボビンを有し、分離された一つの前記誘導コイル用ボビンに少なくとも一本の前記支柱を有している。
【００１７】
請求項８記載の発明にあっては、請求項１記載の発明において、前記支柱を固定するためのベース部を設けている。
【００１８】
【発明の実施の形態】
（第１の実施の形態）
本発明の第１の実施の形態を図１（ａ）及び（ｂ）により説明する。
【００１９】
図１（ａ）は無電極放電灯点灯装置の斜視図を、図１（ｂ）は無電極放電灯点灯装置の断面図を表している。
【００２０】
本実施形態の無電極放電灯点灯装置１は、無電極放電灯２、誘導コイル３、誘導コイル用ボビン４、リード部５、高周波電源回路６及び支柱７とを備えてなる。
【００２１】
無電極放電灯２は、高周波電磁界の印加によりランプを点灯するものであり、透光性材料等により成るガラスバルブ内に放電ガスを封入して設けられている。誘導コイル３は、前記無電極放電灯２に高周波電磁界を供給するためのものであり、前記無電極放電灯２の周囲近傍に巻き回して設けられている。誘導コイル用ボビン４は、前記誘導コイル３を保持するためのものであり、前記無電極放電灯２と前記誘導コイル３の間に設けられ、前記誘導コイル３の形状を保持するために誘導コイル３を沿わせる螺旋状の保持溝４１０を有している。リード部５は、二本のリード線５１で構成され、前記誘導コイル３と高周波電源回路６とを接続するために設けられている。高周波電源回路６は、前記無電極放電灯２に高周波電力を供給するために設けられている。支柱７は、前記誘導コイル用ボビン４を保持するために設けられている。
【００２２】
このような無電極放電灯点灯装置１において、図示しない交流主電源より高周波電源回路６に電流が供給されると、高周波電流がリード部５を通して誘導コイル３に出力され、誘導コイル３により発生した高周波電磁界が無電極放電灯２に印加されることで、放電ガスを励起発光させ、ランプが点灯する。
【００２３】
本実施形態によれば、リード部５と支柱７との距離を保つために、リード部５を二つの支柱７の略真ん中に配置しているので、可能な限り容量結合発生によるマッチングのずれを抑えることができ、無電極放電灯２の点灯動作をスムーズに行なわせることができる。
【００２４】
また図１（ｂ）において、リード部５の二本のリード線５１を互いに近接配置することにより、各々のリード線５１から発生する磁束が互いに打ち消し合うことになるので、リード部５における電力損失を抑えることができ、無電極放電灯２の点灯動作をよりスムーズに行なわせることができる。
【００２５】
（第２の実施の形態）
本発明の第２の実施の形態を図２（ａ）及び（ｂ）により説明する。
【００２６】
図２（ａ）は支柱三本の場合の無電極放電灯点灯装置１の上面視点の断面図を、図２（ｂ）は支柱四本の場合の無電極放電灯点灯装置１の上面視点の断面図を表している。
【００２７】
先の第１の実施の形態と異なる構成は、リード部５の二本のリード線５１を近接配置ではなく、分離配置している点である。配置箇所は、二つの支柱７を結ぶ弧上のほぼ真ん中である。従って、リード線５１は各支柱７から最も離れた位置となり、且つリード線５１同士が最も離れる位置となる。
【００２８】
本実施形態によれば、支柱７が金属製であった場合でも、支柱７とリード線５１との間に所定の距離を設けることで、両者間において容量結合が生じないので、無電極放電灯２の点灯動作をよりスムーズに行なわせることができる。
【００２９】
また、リード線５１を互いに分離配置することで、リード部５における光束減少を抑えることができる。
【００３０】
（第３の実施の形態）
本発明の第３の実施の形態を図３により説明する。
【００３１】
図３は、無電極放電灯点灯装置１の側面視点の断面図を表している。
先の第１の実施の形態と異なる構成は、リード部５を無電極放電灯２に密着配置させている点である。
【００３２】
本実施形態によれば、無電極放電灯２とリード部５を密着配置させることにより、電界放電が生じやすくなり、無電極放電灯２の点灯動作をよりスムーズに行なわせることができる。
【００３３】
（第４の実施の形態）
本発明の第４の実施の形態を図４より説明する。
【００３４】
図４は、無電極放電灯点灯装置１の上面視点の断面図を表している。
先の第１の実施の形態と異なる構成は、誘導コイル用ボビン４が金属製であり、不連続部分を有する略環状構造となっている点である。
【００３５】
本実施形態によれば、誘導コイル用ボビン４が金属製であることで、誘導コイル用ボビン４自身が無電極放電灯２から発せられる紫外線で歪むことを防ぎ、誘導コイル用ボビン４の長寿命化を図ることができる。
【００３６】
また、誘導コイル用ボビン４が導電性を有しなおかつ環になっている場合、誘導コイル３を誘導コイル用ボビン４に配置することにより、誘導コイル３から高周波電磁界が発生した時に、誘導コイル用ボビン４に高周波電流が流れるため、発生した高周波電磁界が打ち消され、始動性が大幅に低下する。
【００３７】
そこで、図４に示すように誘導コイル用ボビン４の一部に切れ目を設け環と成らないようにすることで、誘導コイル用ボビン４に高周波電流のループができることを防ぎ、無電極放電灯２の点灯動作をよりスムーズに行なわせることができる。
【００３８】
（第５の実施の形態）
本発明の第５の実施の形態を図５より説明する。
【００３９】
図５は、無電極放電灯点灯装置１の斜視図を表している。
先の第１の実施の形態と異なる構成は、誘導コイル用ボビンを複数個に分離したこと、複数個に分離された誘導コイル用ボビン４の各々に少なくとも一本の支柱を設けたこと及び支柱を固定するためのベース部を設けたことの三点である。
【００４０】
本実施の形態によれば、誘導コイル用ボビン４を複数個に分離して配置することにより、誘導コイル用ボビン４に高周波電流のループが発生するのを防ぎ、無電極放電灯２の点灯動作をよりスムーズに行わせることができる。
【００４１】
また、支柱７を固定するためのベース部８を設けることにより、全体の構造を強化することができる。
【００４２】
【発明の効果】
請求項１記載の発明は、無電極放電灯と、無電極放電灯の外周上に配置された誘導コイルと、誘導コイルを保持するための誘導コイル用ボビンと、誘導コイル用ボビンを支持するための導電性の支柱と、誘導コイルに接続され高周波電力を誘導コイルに供給する高周波電源回路と、誘導コイルと高周波電源回路とを接続するリード部とを備える無電極放電灯点灯装置において、誘導コイルのリード部を無電極放電灯の外周上において支柱から最も離れた位置に設けるようにしたので、可能な限り容量結合発生によるマッチングのずれを抑えることができ、無電極放電灯の点灯動作をスムーズに行なわせることのできる無電極放電灯点灯装置を提供することができた。
【００４３】
請求項２記載の発明は、請求項１記載の発明において、誘導コイルの複数のリード線を互いに近接して配置するようにしたので、各々のリード線から発生する磁束が互いに打ち消し合うことになり、リード部における電力損失を抑えることができ、無電極放電灯の点灯動作をよりスムーズに行なわせることができるという効果がある。
【００４４】
請求項３記載の発明は、請求項１記載の発明において、支柱を複数有し、誘導コイルの複数のリード線を各々互いに無電極放電灯の外周上において支柱から最も離れた位置で、且つ各々のリード線が互いに最も離れた位置関係となるように配置するようにしたので、支柱が金属製であった場合でも、支柱とリード線との間に所定の距離を設けることにより、両者間において容量結合が生じなくなり、無電極放電灯の点灯動作をよりスムーズに行なわせることができるという効果がある。
【００４５】
また、リード線を互いに分離配置することにより、リード部における光束減少を抑えることができるという効果もある。
【００４６】
請求項４記載の発明は、請求項１又は請求項２記載の発明において、誘導コイルのリード部を無電極放電灯に近接配置するようにしたので、電界放電が生じやすくなり、無電極放電灯の点灯動作をよりスムーズに行なわせることができるという効果がある。
【００４７】
請求項５記載の発明は、請求項１記載の発明において、誘導コイル用ボビンを金属製にしたので、誘導コイル用ボビン自身が無電極放電灯から発せられる紫外線で歪むことを防ぎ、誘導コイル用ボビンの長寿命化を図ることができるという効果がある。
【００４８】
請求項６記載の発明は、請求項１記載の発明において、誘導コイル用ボビンを不連続部分を有する略環状構造としたので、誘導コイル用ボビンに高周波電流のループができることを防ぎ、無電極放電灯の点灯動作をよりスムーズに行なわせることができるという効果がある。
【００４９】
請求項７記載の発明は、請求項１記載の発明において、複数個に分離された誘導コイル用ボビンを有し、分離された一つの誘導コイル用ボビンに少なくとも一本の支柱を有するようにしたので、誘導コイル用ボビンに高周波電流のループが発生するのを防ぎ、無電極放電灯の点灯動作をよりスムーズに行わせることができるという効果がある。
【００５０】
請求項８記載の発明は、請求項１記載の発明において、支柱を固定するためのベース部を設けるようにしたので、全体の構造を強化することができるという効果がある。
【図面の簡単な説明】
【図１】本発明の第１の実施の形態を示す無電極放電灯点灯装置の斜視図及び断面図である。
【図２】本発明の第２の実施の形態を示す無電極放電灯点灯装置の断面図である。
【図３】本発明の第３の実施の形態を示す無電極放電灯点灯装置の側面図である。
【図４】本発明の第４の実施の形態を示す無電極放電灯点灯装置の断面図である。
【図５】本発明の第５の実施の形態を示す無電極放電灯点灯装置の斜視図である。
【図６】従来の技術を示す側面図である。
【図７】支柱を付加した従来の技術を示す側面図である。
【符号の説明】
１  無電極放電灯点灯装置
２  無電極放電灯
３  誘導コイル
４  誘導コイル用ボビン
５  リード部
５１  リード線
６  高周波電源回路
７  支柱
８  ベース部
【図１】
0003614026.tif 000002
【図２】
0003614026.tif 000003
【図３】
0003614026.tif 000004
【図４】
0003614026.tif 000005
【図５】
0003614026.tif 000006
【図６】
0003614026.tif 000007
【図７】
0003614026.tif 000008